(57)【要約】【課題】製品面にクラックの発生がなく、バリを除去した後に表出する樹脂層の部分とゲルコートとの光沢の違いが目立たない樹脂成形品を提供すること。【解決手段】内側樹脂層Ｍの表面にゲルコート２４が設けられた成形品を成形するキャビティ面とパーティングラインＰＬとの交差領域Ｐ１，Ｐ２に半径１．５ｍｍ以上の曲面が設けられた成形型によって樹脂成形品が成形される。樹脂材料Ｍの光沢度とゲルコート２４の光沢度との差は１５以下とされ、成形後にバリ２５を除去して前樹脂層Ｍの部分Ｍ１が露出したときに、ゲルコート２４との光沢の違いが目立たない状態となっている。【選択図】          図４
2004358889.tif 000002
【特許請求の範囲】
【請求項１】
成形型のキャビティ面にゲルコートを塗布した状態で、内側樹脂層を形成する樹脂材料を充填して得られる樹脂成形品において、
前記樹脂材料の光沢度とゲルコートの光沢度との差が１５以下とされ、
前記成形型のパーティングライン近傍に対応する樹脂層部分がゲルコートで覆われることなく直接表出したときに、当該樹脂層部分とゲルコートとの光沢の違いが目立たない状態とされていることを特徴とする樹脂成形品。
【請求項２】
成形型のキャビティ面にゲルコートを塗布した状態で、内側樹脂層を形成する樹脂材料を充填して得られる樹脂成形品において、
前記樹脂材料の光沢度とゲルコートの光沢度との差が１５以下とされ、
前記成形型のパーティングラインにより生じたバリを除去して樹脂層が部分的に露出したときに、樹脂層部分とゲルコートとの光沢の違いが目立たない状態とされていることを特徴とする樹脂成形品。
【請求項３】
内側樹脂層の表面にゲルコートが設けられた成形品を成形するキャビティ面とパーティングラインとの交差領域に半径１．５ｍｍ以上の曲面が設けられた成形型によって成形される樹脂成形品であって、
前記樹脂材料の光沢度とゲルコートの光沢度との差が１５以下とされ、
前記成形型のパーティングラインにより生じたバリを除去して前記成形品の一部の樹脂層が露出したときに、樹脂層部分とゲルコートとの光沢の違いが目立たない状態とされていることを特徴とする樹脂成形品。
【請求項４】
略水平面内に位置するカウンタートップと、このカウンタートップに一体形成された洗面ボールとを備え、
前記洗面ボールの前部領域がカウンタートップの前端よりも前方に突出する形状に設けられるとともに、表面にゲルコートが設けられた樹脂成形品であって、
前記洗面ボールの前部領域に対応する位置にパーティングラインが形成されるとともに、このパーティングラインとキャビティ面との交差領域に半径１．５ｍｍ以上の曲面が設けられた成形型を用い、
前記パーティングラインにより生じたバリを除去するにあたり、洗面ボールの前部領域の上部外周面と上端面とをバイアスする方向に面取りして樹脂層を部分的に露出させたときに、樹脂層部分とゲルコートとの光沢の違いが目立たない状態とされていることを特徴とする樹脂成形品。
【発明の詳細な説明】
【０００１】
【発明の属する技術分野】
本発明は樹脂成形品に係り、更に詳しくは、表面がゲルコートで覆われた成形品において、内側の樹脂層部分が直接表出する場合であっても、当該樹脂層部分とゲルコートとの光沢の違いが目立つことなく表現できる樹脂成形品に関する。
【０００２】
【従来の技術】
従来より、例えば、注型法によって洗面カウンター等の樹脂成形品を成形するための型は、洗面ボールの下面側若しくは外面側を形成するＦＲＰ等からなる下型と、上面側若しくは内面側を形成するＦＲＰ等からなる上型とからなり、所定の注入口から樹脂材料を注入して硬化させることによりキャビティ形状に対応した洗面カウンターを成形することができる。
このような洗面カウンターの成形に際しては、樹脂材料の注入に先立ってキャビティ面にゲルコートを塗布しておき、このゲルコートにより、樹脂成形品としての洗面カウンターに光沢を与えることが行われている。
【０００３】
【発明が解決しようとする課題】
しかしながら、このような成形においては、キャビティ内面とパーティングラインとの交差位置若しくは領域には、ゲルコートが存在しない状態となるため、内側の樹脂層部分がゲルコートで覆われることなく表出することとなる。この場合、ゲルコートと樹脂層との光沢度の相違によってゲルコートを有しない樹脂層が目立ってしまう、という不都合を招来する。
【０００４】
また、洗面ボールの前部領域がカウンタートップの前端よりも前方に突出するタイプの樹脂成形品を成形する場合において、その突出した領域を形成するキャビティ面とパーティングラインとの交差位置を角張った形状（いわゆるピン角）の成形型を用いると、成形後において、前記交差位置に対応する成形品部分にクラックが発生してしまう場合が多く、成形歩留まりを著しく低下させてしまう、という不都合がある。
【０００５】
そこで、本発明者は、成形型における前記交差位置を一定の曲面とすることで、成形後のクラックの発生を防止できることを知見した。
しかしながら、成形型がＦＲＰ等によって形成されて面精度が金型に及ばないこと、及び、曲面形状を採用したことにより、当該部位からパーティングラインに沿ってバリが発生し易くなる。そして、このバリを除去したときに、前記交差位置を含む一定領域のゲルコートが除去されてしまうことにより、内側の樹脂層部分が露出してゲルコートを有しない部分が目立ってしまう、という不都合を招来する。
【０００６】
【発明の目的】
本発明は、このような不都合に着目して案出されたものであり、その目的は、樹脂層が部分的に露出してもゲルコートとの光沢度差を所定値以下に抑えてゲルコートを有しない部分を目立たなくすることができる樹脂成形品を提供することにある。
【０００７】
本発明の他の目的は、成形後に製品面として表出する部位にクラックを発生することがないとともに、バリを除去して樹脂層が部分的に露出してもゲルコートとの光沢度差を所定値以下に抑えてゲルコートを有しない部分を目立たなくすることができる樹脂成形品を提供することにある。
【０００８】
【課題を解決するための手段】
前記目的を達成するため、本発明は、成形型のキャビティ面にゲルコートを塗布した状態で、内側樹脂層を形成する樹脂材料を充填して得られる樹脂成形品において、
前記樹脂材料の光沢度とゲルコートの光沢度との差が１５以下とされ、
前記成形型のパーティングライン近傍に対応する樹脂層部分がゲルコートで覆われることなく直接表出したときに、当該樹脂層部分とゲルコートとの光沢の違いが目立たない状態とされる、という構成を採っている。これにより、ゲルコートを有しない前記樹脂層部分が目立つことのない外観を備えた樹脂成形品を得ることができる。
【０００９】
また、本発明は、成形型のキャビティ面にゲルコートを塗布した状態で、内側樹脂層を形成する樹脂材料を充填して得られる樹脂成形品において、
前記樹脂材料の光沢度とゲルコートの光沢度との差が１５以下とされ、
前記成形型のパーティングラインにより生じたバリを除去して樹脂層が部分的に露出したときに、樹脂層部分とゲルコートとの光沢の違いが目立たない状態とされる、という構成を採っている。このような構成とすることで、バリの形成部位におけるゲルコートが除去されてしまっても、内側の樹脂層部分との光沢度差が小さくなり、外観上略同様の表面を見せることが可能となる。
【００１０】
また、本発明は、内側樹脂層の表面にゲルコートが設けられた成形品を成形するキャビティ面とパーティングラインとの交差領域に半径１．５ｍｍ以上の曲面が設けられた成形型によって形成される樹脂成形品であって、
前記樹脂材料の光沢度とゲルコートの光沢度との差が１５以下とされ、
前記成形型のパーティングラインにより生じたバリを除去して前記成形品の一部の樹脂層が露出したときに、樹脂層部分とゲルコートとの光沢の違いが目立たない状態とされる、という構成を採り、これにより、前記交差領域に対応する成形品側のクラック発生を防止することができる。
前記交差領域の曲面が半径１．５ｍｍ未満であると、成形品を型内で完全硬化しない状態で脱型して二次硬化させる場合に、前記曲面に対応する成形部分にクラックが発生し易くなる。
【００１１】
更に、本発明は、略水平面内に位置するカウンタートップと、このカウンタートップに一体形成された洗面ボールとを備え、
前記洗面ボールの前部領域がカウンタートップの前端よりも前方に突出する形状に設けられるとともに、表面にゲルコートが設けられた樹脂成形品であって、
前記洗面ボールの前部領域に対応する位置にパーティングラインが形成されるとともに、このパーティングラインとキャビティ面との交差領域に半径１．５ｍｍ以上の曲面が設けられた成形型を用い、
前記パーティングラインにより生じたバリを除去するにあたり、洗面ボールの前部領域の上部外周面と上面とをバイアスする方向に面取りして樹脂層を部分的に露出させたときに、樹脂層部分とゲルコートとの光沢の違いが目立たない状態とされる、という構成を採ることができる。このような構成とすることで、カウンタートップの前端から突出する洗面ボールの前部領域における上部でバリを除去した跡が目立たない状態となる。
【００１２】
本発明において、前記曲面の半径は３ｍｍ以上とすることが好ましい。３ｍｍ以上とすることで、前述した硬化後のクラック発生を一層確実に防止することができる。
また、本発明に係る樹脂成形品は、人工大理石等の樹脂層（人大層）と、その表面に設けられた透明なゲルコートを備えたものであれば対象とすることができる。樹脂層の成形材料としては、不飽和ポリエステル、ビニルエステル、エポキシ樹脂等が例示でき、これに、水酸化アルミ等の充填材、及び硬化剤が所定量添加される。
前記ゲルコートの光沢度は８０、好ましくは８５以上とされる一方、樹脂層の光沢度は７５以上、好ましくは８０以上とされ、且つ、ゲルコートと樹脂層の光沢度差が１５以下、好ましくは１０以下とされる。ここで、光沢度は、ＢＹＫ株式会社製の「ｍｉｃｒｏ−ＴＲＩ−ｇｌｏｓｓ光沢計」において、６０°光沢の値で特定されるものである。ゲルコート及び樹脂層の光沢度をそれぞれ８０，７５以上としたのは、その程度ないと良好な光沢を得ることができないためであり、光沢度差を１５以下としたのは、樹脂層部分が直接表出しても、ゲルコートとの光沢の違いが僅かとなり、ゲルコートを有しない樹脂層部分が目立たなくなるからである。
【００１３】
【発明の実施の形態】
以下、本発明の実施の形態について図面を参照しながら説明する。なお、本明細書における方向若しくは位置を示す用語は、図１中矢印Ａ方向から見た場合を基準とし、「前」とは矢印Ａ方向から見た場合の手前側を示す一方、「後」とは、同奥行き側について用いられる。
【００１４】
図１には、本発明に係る樹脂成形品が洗面カウンターに適用された実施形態の概略斜視図が示されている。この図において、樹脂成形品としての洗面カウンター１０は、内部に所定の収容空間を備えたキャビネット１１の上部に配置されたカウンタートップ１２と、このカウンタートップ１２と一体成形されるとともに、当該カウンタートップ１２の領域内に設けられた洗面ボール１３とを備えた形状に設けられている。この洗面カウンター１０は、キャビネット１１上に配置された状態で、少なくとも外側から見ることのできる領域若しくは面にゲルコートを備えた製品とされている。
【００１５】
前記カウンタートップ１２は略水平面内に位置する平面部１５と、この平面部１５の後部に位置する立ち上がり部１６とを備え、平面部１５の左側領域を部分的に落ち込ませることによって前記洗面ボール１３が一体に形成されている。
【００１６】
前記洗面ボール１３は平面視で略円形をなし、後方寄りの中央部が最も低くなる椀形状に設けられている。この洗面ボール１３の前部領域１３Ａは、カウンタートップ１２の前端１２Ａよりも前方（手前側）に突出する形状に設けられ、当該前部領域１３Ａの外面側、すなわち、洗面ボール１３の内面の反対側となる面は、キャビネット１１で覆われることなく目視される表出面（製品面）となってゲルコートを備えている。
【００１７】
図２には、前記洗面カウンター１０の成形型２０が示されている。この成形型２０は、カウンタートップ１２及び洗面ボール１３の下面側を形成する下型２０Ａと、上面側を形成する上型２０Ｂとからなり、前部領域１３Ａに対応する位置にパーティングラインＰＬが形成されている。下型２０Ａにおいて、前記前部領域１３Ａの上部外周面を形成する型内面部分２０ＣとパーティングラインＰＬとの交差領域Ｐ１は、半径１．５ｍｍの曲面として形成されている。また、カウンタートップ１２の後端面１２Ｄを形成する型内面部分２０ＤとパーティングラインＰＬとの交差領域Ｐ２も同様に半径１．５ｍｍの曲面が形成されている。
【００１８】
前記洗面カウンター１０の成形に際しては、図３に示されるように、予めキャビティ面内にゲルコート２４を塗布しておく。そして、成形型２０を閉型した後に樹脂材料Ｍを図示しない注入口から注入する。次いで、所定時間経過して完全硬化する前の段階で脱型し、取り出された洗面カウンター１０を二次硬化により完全硬化させる。
【００１９】
完全硬化した洗面カウンター１０において、洗面ボール１３の前部領域１３Ａにおける上部外周面はパーティングラインによって生じたバリ２５が繋がった状態となる（図４参照）。このバリ２５は、前部領域１３Ａにおける上部外周面２６と上端面２７との間をバイアスする方向に沿って除去して研磨することによって完全に除去される。このとき、ゲルコート２４を表面に有しない樹脂層Ｍの部分Ｍ１が前端上部に表れることになるが、ゲルコート２４と樹脂層Ｍとの光沢度が１５以下となる材料を用いているため、その光沢の違いは識別できない程度となって、ゲルコート２４を表面に有しない樹脂層Ｍの部分Ｍ１を目立たなくすることができる。
【００２０】
従って、このような実施例によれば、洗面ボール１３の前部領域１３Ａの上部外周面２６に対応するキャビティ面２０ＣとパーティングラインＰＬとの交差領域Ｐ１に、半径１．５ｍｍ以上の曲面を設けたから、成形後に当該曲面に対応した成形品側にクラックを発生させることがない、という効果を得ることができる。しかも、パーティングラインＰＬによって生じたバリ２５を除去して樹脂層の部分Ｍ１が直接外面に表出することとなっても、ゲルコート２４との光沢の違いが僅かになって目立たなくすることができる。従って、カウンタートップ１２の前端１２Ａから洗面ボール１３の前部領域１３Ａが突出するタイプの洗面カウンター１０とした場合であっても、製品としての価値を低下させることなく成形することが可能となる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、その他の詳細な構成において、当業者が様々な変形を加えることができるものである。
従って、上記に開示した形状、材料などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２２】
例えば、前記実施形態では、洗面ボール１３の前部領域１３Ａがカウンタートップ１２の前端１２Ａよりも前方に突出する形状を備えた洗面カウンター１０を対象としたが、表面にゲルコート２４が設けられる樹脂成形品一般に適用することができ、その中でも製品面に対応する位置にパーティングラインが形成される樹脂成形品に特に好適に適用することができる。
【００２３】
【発明の効果】
以上説明したように、本発明によれば、樹脂層の表面にゲルコートを設けた樹脂成形品において、樹脂層部分がゲルコートで覆われることなく直接表出するようにしても、樹脂層部分とゲルコートとの光沢の違いが目立つことがない、という従来にない優れた効果を奏する樹脂成形品を提供することができる。
【図面の簡単な説明】
【図１】実施例に係る洗面カウンターの概略斜視図。
【図２】図１のＢ−Ｂ線に沿って示した場合の成形型の断面図。
【図３】図２の要部拡大断面図。
【図４】バリを除去した状態を示す要部拡大断面図。
【符号の説明】
１０…洗面カウンター（樹脂成形品）、１２…カウンタートップ、１３…洗面ボール、１３Ａ…前部領域、２６…上部外周面、２７…上端面、Ｍ…樹脂材料（樹脂層）、Ｍ１…樹脂層の部分、Ｐ１，Ｐ２…交差領域、ＰＬ…パーティングライン
【図１】
2004358889.tif 000003
【図２】
2004358889.tif 000004
【図３】
2004358889.tif 000005
【図４】
2004358889.tif 000006